(57)【要約】【課題】放射性微粒子による汚染環境下において雨天時に作業を行う場合の着用に適したレインコートを提供する。【解決手段】上衣および下衣を備えたレインコートであって、上衣および下衣はそれぞれ複数の複層不織布片が縫着されることにより形成され、上衣は頭部を覆うフードを有し、下衣は、内裾および内裾を覆う外裾により構成された裾と、下衣本体の上端部前縁から上方に延在して腹部から胸部までを覆う下衣前身頃と、下衣本体の上端部後縁から上方に延在して背中を覆う下衣後身頃とを有し、縫着部は目張りテープにより内側からシールされ、フードの開口縁上部と、上衣の左右袖口と、上衣の下端開口部と、内裾の下端開口部とには、フード開口部と、左右袖口と、上衣の下端開口部と、内裾の下端開口部とを拡縮自在とするゴム体が収納され、上衣および下衣の外表面には帯電防止剤が塗布されたレインコートとした。【選択図】図１
2014009954.tif 000002
【特許請求の範囲】
【請求項１】
上衣および下衣を備えたレインコートであって、
前記上衣および前記下衣はそれぞれ複数の複層不織布片が縫着されることにより形成され、
前記上衣は頭部を覆うフードを有し、
前記下衣は、内裾および該内裾を覆う外裾により構成された裾と、下衣本体の上端部前縁から上方に延在して腹部から胸部までを覆う下衣前身頃と、該下衣本体の上端部後縁から上方に延在して背中を覆う下衣後身頃とを有し、
縫着部は目張りテープにより内側からシールされ、
前記フードの開口縁上部と、前記上衣の左右袖口と、前記上衣の下端開口部と、前記内裾の下端開口部とには、フード開口部と、該左右袖口と、該上衣の下端開口部と、該内裾の下端開口部とを拡縮自在とするゴム体が収納され、
前記上衣および前記下衣の外表面には帯電防止剤が塗布されたことを特徴とするレインコート。
【請求項２】
前記複層不織布片は、外側の第１スパンボンド層と、中間のメルトブローン層と、内側の第２スパンボンド層とから構成される三層構造を有し、
防護服の上に着用されることを特徴とする請求項１に記載のレインコート。
【請求項３】
前記複層不織布片は、外側のポリプロピレン層と内側のポリエチレン層とから構成される二層構造を有することを特徴とする請求項１に記載のレインコート。
【発明の詳細な説明】
【技術分野】
【０００１】
本発明は、放射性微粒子による汚染環境下において雨天時に作業を行う場合の着用に適したレインコートに関する。
【背景技術】
【０００２】
原子力発電所における原子炉のメルトダウン等の原子力事故が発生した場合、セシウム１３４，セシウム１３７，ストロンチウム９０等のような人体にとって極めて毒性の高い多種類の放射性同位元素が大気中に放出される。大気中に放出された放射性同位元素の多くは、その後放射性落下物として地表面や海面に落下する。そして地表面の土壌微粒子が風等によって巻き上げられれば、放射性同位元素を含む放射性微粒子として再び大気中を浮遊することとなる。
【０００３】
このような放射性微粒子が体内に取り込まれると、その放射性微粒子の中に体内から容易に排出されない放射性同位元素が含まれいている場合は体内被曝を受けるリスクが極めて高くなる。従って、放射性微粒子による汚染環境下で作業を行う作業者にとって、微粒子遮断能力の高い防護服を着用することは必須である。
【０００４】
また、雨天時においては、雨水中に分散した放射性微粒子が雨水の浸透に伴って防護服を透過する可能性がある。従って、放射性微粒子による汚染環境下、雨天時においては防護服の上からレインコートを着用することが好ましい。
【０００５】
なお、レインコートについては、例えば以下の特許文献１〜４に開示されるような様々な提案が従来なされている。
【先行技術文献】
【特許文献】
【０００６】
【特許文献１】特開２００１−２１４３０９号公報
【特許文献２】特開２００１−１４０１１４号公報
【特許文献３】特開２００１−４０５１１号公報
【特許文献４】特開平９−１３７３０９号公報
【発明の概要】
【発明が解決しようとする課題】
【０００７】
放射性微粒子で汚染された地域での雨天時における活動に際しては、微粒子遮断能力の高いレインコートを着用することが望ましい。しかしながら、放射性微粒子で汚染された地域で着用することを想定したレインコートは従来提案されていない。従って雨天時において、作業者は微粒子遮蔽能力の低い既存のレインコートを着用せざるを得なく、被爆してしまう可能性が高かった。
【０００８】
そこで本発明は、放射性微粒子による汚染環境下において雨天時に作業を行う場合の着用に適したレインコートを提供することを目的とする。
【課題を解決するための手段】
【０００９】
（１）本発明によるレインコートは、上衣および下衣を備えたレインコートであって、上衣および下衣はそれぞれ複数の複層不織布片が縫着されることにより形成され、上衣は頭部を覆うフードを有し、下衣は、内裾および内裾を覆う外裾により構成された裾と、下衣本体の上端部前縁から上方に延在して腹部から胸部までを覆う下衣前身頃と、下衣本体の上端部後縁から上方に延在して背中を覆う下衣後身頃とを有し、縫着部は目張りテープにより内側からシールされ、フードの開口縁上部と、上衣の左右袖口と、上衣の下端開口部と、内裾の下端開口部とには、フード開口部と、左右袖口と、上衣の下端開口部と、内裾の下端開口部とを拡縮自在とするゴム体が収納され、上衣および下衣の外表面には帯電防止剤が塗布されている。
【００１０】
（２）また、上記（１）のレインコートにおいて、複層不織布片は、外側の第１スパンボンド層と、中間のメルトブローン層と、内側の第２スパンボンド層とから構成される三層構造を有し、レインコートは防護服の上に着用される。
【００１１】
（３）また、上記（１）のレインコートにおいて、複層不織布片は、外側のポリプロピレン層と内側のポリエチレン層とから構成される二層構造を有する。
【発明の効果】
【００１２】
請求項１に記載のレインコートによれば放射性微粒子が開口部から内部に侵入することを防ぐことができるため、放射性微粒子による汚染環境下において雨天時に作業を行う場合の着用に適している。当該レインコートを着用すれば、着用者は放射性微粒子で被爆する可能性が極めて低くなり、内部被爆を起こす危険性を低減することができる。
【００１３】
請求項２に記載のレインコートは、ある程度の通気性を有しながら、優れた微粒子遮蔽能を有する。従って、当該レインコートを通常の防護服の上に着用することにより、着用者は放射性微粒子で被爆する危険性を極めて低くすることができる。また、防護服とレインコートとの間に湿気が籠もりにくいため、快適に着用することができる。
【００１４】
請求項３に記載のレインコートは非常に高い耐水度を有すると共に通気性をほどんど有しないいため、下に防護服を着用せずとも放射性微粒子の侵入を遮蔽することができる。
【図面の簡単な説明】
【００１５】
【図１】本発明のレインコートを示した図である。
【図２】本発明のレインコートを着用した様子を示した図である。
【図３】下衣のみを着用した様子を示した図である。
【図４】下衣の構造を示した図である。（ａ）は下衣を前側から見た図であり、（ｂ）は下衣を後側から見た図である。
【図５】下衣を着用した際の裾内部の様子を示した図である。
【図６】複層不織布の断面を示した図である。（ａ）はＳＭＳ不織布の断面を示した図であり、（ｂ）はＰＰ−ＰＥ不織布の断面を示した図である。
【発明を実施するための形態】
【００１６】
以下、図面を参照しながら本発明のレインコートについて詳細に説明する。なお、本明細書における前後左右上下方向は、レインコートの着用者から見た前後左右上下と対応する。
【００１７】
図１は本発明のレインコート１を示した図である。レインコート１は、上半身に着用される上衣２と、下半身に着用される下衣３とを備えている。
【００１８】
上衣２は着用者の頭部を覆って保護するためのフード１１を備えており、フード１１はフード開口部１２を有している。フード開口部１２の開口縁上部１２ａにはゴム体が収納されおり、着用者の頭部形状に合わせてフード開口部１２を拡縮自在としている。すなわち、フード１１は、フード開口部１２が着用者の肌に密着した状態で着用者の額・頬・顎までを覆い、目・鼻・口の周辺部のみを露出させた状態とすることができるよう構成されている。着用者はレインコート１を着用した上で防護マスクやゴーグルを装着することによりレインコート１内への放射性微粒子の侵入を遮蔽し、頭部が被爆するとを防ぐことができる。
【００１９】
上衣２の左右袖口１３，１３には環状のゴム体が収納されており、着用者の左右手首の大きさに合わせて左右袖口１３，１３を拡縮自在としている。着用者は防護用手袋を着用した上で上衣２を着用することによりレインコート１内への放射性微粒子の侵入を遮蔽し、左右の手先が被爆することを防ぐことができる。
【００２０】
上衣２の下端に位置する下端開口部１４には環状のゴム体が収納されており、着用者の腰回りの大きさに合わせて下端開口部１４を拡縮自在としている。着用者は図２に示すように下衣３を着用した上で上衣２を下衣３に被せるように着用することによりレインコート１内への放射性微粒子の侵入を遮蔽し、胴体が被爆することを防ぐことができる。
【００２１】
下衣３は、下衣本体３１の上端部前縁３１ａから上方に延在させた下衣前身頃３２と、下衣本体３１の上端部後縁３１ｂから上方に延在させた下衣後身頃３３とを備えている。下衣前身頃３２の上端と下衣後身頃３３の上端とは左右紐体３４，３４を介して連結されている。下衣３の腰回りには当該腰回りを拡縮自在とするゴム体が収納されていないため、下衣３の着用は容易である。下衣３を着用する際は左右紐体３４，３４を手で持ちながら左右の脚を挿入した後、左右紐体３４，３４を左右の肩に掛ければよい。なお、左右紐体３４，３４は、伸縮性の乏しい紐であっても、伸縮自在のゴム体であっても良い。
【００２２】
下衣３の着用時には、図３に示すように着用者の腹部から胸部までは下衣前身頃３２によって覆われると共に、着用者の背中は下衣後身頃３３によって覆われる。そして下衣３を着用した上で、下衣３の腰部周辺から上を覆うように上衣２が着用されるため、着用者の胴体が放射性微粒子で被爆することを効果的に防ぐことができる。更に、着用者の胴体は下衣前身頃３２および下衣後身頃３３と上衣前身頃１６および上衣後身頃１７とによって二重に保護されるため、レインコート１の胴回りの強度を高めることができる。
【００２３】
図１および図４に示すように、下衣本体３１下端の左右裾３５，３５は、左右内裾３６，３６と、左右内裾３６，３６を覆う左右外裾３７，３７とにより構成された二重構造としている。左右内裾３６，３６の下端開口部３６ａ，３６ａには環状のゴム体が収納されており、着用者の足首の大きさに合わせて左右内裾３６，３６を拡縮自在としている。左右内裾３６，３６の上端縁部は左右外裾３７，３７の内周面に縫着されると共に、左右外裾３７，３７の下端開口部３７ａ，３７ａは左右内裾３６，３６の下端開口部３６ａ，３６ａよりも更に下方に伸延させており、左右外裾３７，３７が左右内裾３６，３６の外部を完全に覆うことができるよう構成されている。下衣３を着用した際は、図５に示すように、左右内裾３６，３６は長靴１００の内部に挿入されると共に、長靴１００の胴部１０１全体を左右外裾３７，３７で覆うことができる。そのため、レインコート１内への放射性微粒子の侵入が遮蔽され、着用者の足が被爆することを効果的に防ぐことができる。
【００２４】
上衣２は、左右フード片１５，１５と、上衣前身頃１６と、上衣後身頃１７と、左右袖１８，１８とを縫着することにより形成されている。
【００２５】
一方、下衣３は、下衣本体３１を構成する左右脚片３８，３８と、下衣前身頃３２と、下衣後身頃３３と、左右内裾３６，３６とを縫着することにより形成されている。なお、左右外裾３７，３７は左右脚片３８，３８の下端部に形成されている。
【００２６】
下衣３には更に、臀部３９に臀部補強片４０を内側から縫着すると共に、左右膝部４１，４１に左右膝部補強片４２，４２を内側から縫着している。臀部補強片４０は略長方形とし、各辺が略垂直方向もしくは略水平方向を向くように配向させて臀部３９の内側に縫着している。なお、略長方形とした臀部補強片４０は、上辺４０ａおよび左右辺４０ｂ，４０ｃのみが臀部３９に縫着されており、下辺４０ｄは臀部３９に縫着されていない。このように臀部補強片４０の一部（下辺４０ｄ）を縫合せずに自由端としておくことにより、臀部補強片４０に張力が発生した際に当該張力を分散させることができるため、臀部３９が破損することを防ぐことができる。
【００２７】
上衣２および下衣３の全ての縫着部Ａは、目張りテープＴで内側からシールされている。縫着部Ａを目張りテープＴによりシールすることにより、縫着部に形成される可能性のある穴や隙間から放射性微粒子が内部に侵入することを防ぐことができる。目張りテープＴとして、例えばホットメルトテープ等を使用することが可能である。ホットメルトテープを用いればアイロンなどを用いて加熱圧着することができ、縫着部Ａを容易にシールすることができる。
【００２８】
上衣２および下衣３の外表面には帯電防止剤Ｂが塗布されている（図６参照）。帯電防止剤Ｂを塗布することにより、上衣２や下衣３の外表面に乾燥した放射性微粒子が付着することを防ぐことができる。
【００２９】
上衣２の左右フード片１５，１５、上衣前身頃１６、上衣後身頃１７、左右袖１８，１８、および下衣３の下衣前身頃３２、下衣後身頃３３、左右内裾３６，３６、左右脚片３８，３８、臀部補強片４０、左右膝部補強片４２，４２は、複数の不織布層が積層された構造を有する複層不織布によって形成されている。本発明において、上衣２の左右フード片１５，１５、上衣前身頃１６、上衣後身頃１７、左右袖１８，１８、および下衣３の下衣前身頃３２、下衣後身頃３３、左右内裾３６，３６、左右脚片３８，３８、臀部補強片４０、左右膝部補強片４２，４２を形成する複層不織布のことを複層不織布片Ｃと呼ぶ。上衣２および下衣３は、これら複数の複層不織布片Ｃを縫着することにより形成される。
【００３０】
複層不織布として、図６（ａ）に示すような外側の第１スパンボンド層５１と、中間のメルトブローン層５２と、内側の第２スパンボンド層５３とから構成される三層構造の不織布（本発明において、単にＳＭＳ不織布と呼ぶ場合もある。）を用いる場合と、図６（ｂ）に示すような外側のポリプロピレン層５４と内側のポリエチレン層５５とから構成される二層構造の不織布（本発明において、単にＰＰ−ＰＥ不織布と呼ぶ場合もある。）を用いる場合とがある。複層不織布の表面、すなわち、ＳＭＳ不織布の第１スパンボンド層５１表面およびＰＰ−ＰＥ不織布のポリプロピレン層５４表面には帯電防止剤Ｂが塗布されている。帯電防止剤Ｂは複層不織布片Ｃを縫合する前に塗布しても良いし、各複層不織布片Ｃを縫合して上衣２や下衣３を形成した後に塗布しても良い。
【００３１】
ＳＭＳ不織布におけるメルトブローン層５２の厚さは、第１スパンボンド層５１や第２スパンボンド層５３の厚さよりも薄く形成している。また、メルトブローン層５２には静電気を帯電させている。
【００３２】
ＳＭＳ不織布を用いて形成された上衣２や下衣３の場合、乾燥した放射性微粒子の多くは帯電防止剤Ｂが塗布された第１スパンボンド層５１の表面に付着できずに落下する。更に、第１スパンボンド層５１を通過した粒径の小さい放射性微粒子の多くは静電気が帯電したメルトブローン層５２に吸着される。従って、ＳＭＳ不織布を用いて形成された上衣２や下衣３は、優れた放射性微粒子遮蔽能を発揮することとなる。
【００３３】
一方、ＰＰ−ＰＥ不織布を用いて形成された上衣２や下衣３の場合、素材自体が通気性をほとんど有さない上に、外側のポリプロピレン層５４表面に帯電防止剤Ｂが塗布されているため、ほぼ全ての放射性微粒子の侵入を防ぐことができる。
【００３４】
本発明で用いるＳＭＳ不織布およびＰＰ−ＰＥ不織布の性能試験データを下記表１に示す。なお、本試験では、帯電防止剤Ｂが塗布されていないＳＭＳ不織布およびＰＰ−ＰＥ不織布を用いた。
【００３５】
【表１】
2014009954.tif 000003
【００３６】
単位面積当たりの質量（ｇ／ｍ３）は、ＪＩＳ  Ｌ  １０９６に基づいて測定した。
【００３７】
引張強さ（Ｎ）および伸び率（％）は、ＪＩＳ  Ｔ  ８１１５（カットストリップ法）に基づいて測定した。測定は、引張速度１０ｃｍ／ｍｉｎ、つかみ間隔２０ｃｍ、試験片幅５ｃｍの条件で行った。
【００３８】
引裂強さ（Ｎ）は、ＪＩＳ  Ｔ  ８１１５（トラペゾイド法）に基づいて測定した。測定は、引張速度１０ｃｍ／ｍｉｎ、試験片幅７．５ｃｍの条件で行った。
【００３９】
耐水度（ｃｍ）は、ＪＩＳ  Ｌ  １０９２  Ａ法に基づいて測定した。
【００４０】
透湿度（ｇ／ｍ３・ｈ）は、ＪＩＳ  Ｌ  １０９９  Ａ−１法（塩化カルシウム法）に基づいて測定した。
【００４１】
透気度（ｓｅｃ）は、ＪＩＳ  Ｐ  ８１１７（王研式試験機法（ＪＡＰＡＮ  ＴＡＰＰＩ  Ｎｏ．５：２０００王研式））に基づいて測定した。
【００４２】
塵捕集効率（％）は以下の条件で測定した。
・試料面風速（計算値）：０．０９６１：ｃｍ／ｓｅｃ
・測定試料面積：４９１ｃｍ２
・測定面（上流側）：表側（ＳＭＳ不織布の場合、第１スパンボンド層５１表面側。ＰＰ−ＰＥ不織布の場合、ポリプロピレン層５４表面側）
・粒子計数機：Ｍｅｔ  Ｏｎｅ  ２３７Ｂ
・吸引量：０．１ｆｔ３／ｍｉｎ（２．８３Ｌ／ｍｉｎ）
・洗濯処理：未処理
【００４３】
塵捕集効率（％）の測定手順は以下の通りである。
（１）試料を透過装置にオーリングで固定し、クリーンエアーを吸引して塵が０になるのを確認する。
（２）塵発生装置の出口に、試料を取り付けないで透過装置を設置し、試料測定前の塵数を測定する。
（３）透過装置に試料を取り付けて、透過後塵数を測定する。
（４）透過装置から試料を取り外して、試料測定後塵数を測定する。
（５）下記の式より塵捕集効率を算出する。試験結果は小数点以下２桁目を四捨五入し有効数字３桁とする。
塵捕集効率（％）＝｛（透過前塵数−透過後塵数）／透過前塵数｝×１００
【００４４】
ここで透過前塵数とは、試料測定前と測定後の、１分間ずつ１５回連続の各測定値から、それぞれ最大値と最小値を２つずつカットした、残り１１分間の各測定値の平均を表す。また、透過後塵数とは、１分間ずつ１５回連続測定し、最大値と最小値を２つずつカットした残り１１分間の測定値を表す。
【００４５】
ところで、原子力事故を原因として大気を浮遊する放射性微粒子の大きさは、小さい粒子でサブミクロンサイズであると言われている。例えば、チェルノブイリ原発事故で飛散したヨウ素１３１の粒子の大きさは、０．３〜１．０μｍのサイズであるという報告がある。ヨウ素１３１は半減期が約８日であり長期的には余り問題とならないが、セシウム１３７の場合は半減期が約３０年であるため、強い放射能が長期に渡り放出されることとなる。しかしながらセシウム１３７は土壌に強く吸着される性質を有するため、原子力事故発生直後でなければ大気中を浮遊するセシウム１３７含有放射性微粒子の大きさは、少なくとも０．３〜１．０μｍのサイズよりも大きいものと考えられる。
【００４６】
上記性能試験データより分かる通り、ＳＭＳ不織布はある程度の通気性を有しながら、０．３μｍ以上のサイズの微粒子に対する非常に高い塵捕集効率も有している。従って、作業者は通常の防護服を着用した上でＳＭＳ不織布を用いた本発明のレインコート１を着用することにより防護服内への放射性微粒子の侵入を遮蔽し、被爆する危険性を極めて低くすることができる。その上、ＳＭＳ不織布を用いた本発明のレインコート１はある程度の通気性を有しているため、防護服とレインコート１との間に湿気が籠もりにくく、快適に着用することができる。
【００４７】
一方、ＰＰ−ＰＥ不織布は非常に高い耐水度を有すると共に通気性をほとんど有しないことが分かる。従って、ＰＰ−ＰＥ不織布を用いた本発明のレインコート１であれば、下に防護服を着用せずとも放射性微粒子の侵入をを遮蔽することができる。すなわち、ＰＰ−ＰＥ不織布を用いた本発明のレインコート１は防護服を兼用できるレインコートとして使用することが可能である。
【００４８】
以上の通り、本発明のレインコート１は優れた微粒子遮蔽能を有する。従って、放射性微粒子による汚染環境下において雨天時に作業を行う場合に本発明のレインコート１を着用すれば、着用者が放射性微粒子で被爆する可能性が極めて低くなり、内部被爆を起こす危険性を低減することができる。
【符号の説明】
【００４９】
１  レインコート
２  上衣
３  下衣
１１  フード
１２ａ  開口縁上部
１３  左右袖口
１４  上衣の下端開口部
３１ａ  上端部前縁
３１ｂ  上端部後縁
３２  下衣前身頃
３３  下衣後身頃
３５  裾
３６ａ  内裾の下端開口部
３６  内裾
３７  外裾
３９  臀部
４１  膝部
５１  第１スパンボンド層
５２  メルトブローン層
５３  第２スパンボンド層
５４  ポリプロピレン層
５５  ポリエチレン層
Ａ  縫着部
Ｂ  帯電防止剤
Ｃ  複層不織布片
Ｔ  目張りテープ
【図１】
2014009954.tif 000004
【図２】
2014009954.tif 000005
【図３】
2014009954.tif 000006
【図４】
2014009954.tif 000007
【図５】
2014009954.tif 000008
【図６】
2014009954.tif 000009